(57)【特許請求の範囲】
【請求項１】
エレベータ乗場の壁面開口に設置され、エレベータのドアパネルを開閉動作させるために用いるドアロープを掛けるプーリに接続され、
前記ドアロープへの給油処理の実行スケジュール情報を記憶するスケジュール情報記憶部と、
前記スケジュール情報記憶部に記憶されたスケジュール情報に基づいて、前記ドアロープへの給油の実行タイミングが到来したか否かを判定する給油判定部と、
前記給油判定部で前記ドアロープへの給油のタイミングが到来したと判定されると、前記ドアロープに給油するために前記プーリに給油処理を実行する給油部と
を備えることを特徴とするエレベータのドアロープ給油装置。
【請求項２】
エレベータ乗場の壁面開口に設置され、エレベータのドアパネルを開閉動作させるために用いるドアロープを掛けるプーリに接続され、
前記ドアパネルの戸開閉情報を取得する戸開閉情報取得部と、
前記戸開閉情報取得部で取得された情報に基づいて、戸開閉情報が取得された回数をカウントし、前回の給油処理後からのカウント数が所定値に達すると、前記ドアロープへの給油の実行タイミングが到来したと判定する給油判定部と、
前記給油判定部で前記ドアロープへの給油のタイミングが到来したと判定されると、前記ドアロープに給油するために前記プーリに給油処理を実行する給油部と
を備えることを特徴とするエレベータのドアロープ給油装置。
【請求項３】
エレベータ乗場の壁面開口に設置され、エレベータのドアパネルを開閉動作させるために用いるドアロープを掛けるプーリと、前記プーリで発生した異音または異常振動を検知する異常検知センサとに接続され、
前記異常検知センサで検知された異音または異常振動の検知情報を取得するセンサ情報取得部と、
前記センサ情報取得部で異音または異常振動の検知情報が取得されると、前記ドアロープへの給油の実行タイミングが到来したと判定する給油判定部と、
前記給油判定部で前記ドアロープへの給油のタイミングが到来したと判定されると、前記ドアロープに給油するために前記プーリに給油処理を実行する給油部と
を備えることを特徴とするエレベータのドアロープ給油装置。
【請求項４】
前記プーリは、前記ドアロープが接触する部分にフェルト材が設けられ、前記フェルト材に油を注入するための注油穴を有し、
前記給油部は、給油処理を実行する際に、前記注油穴から油を注入する
ことを特徴とする請求項１〜３いずれか１項に記載のエレベータのドアロープ給油装置。
【請求項５】
エレベータ乗場の壁面開口に設置され、エレベータのドアパネルを開閉動作させるドア装置に用いるドアロープを掛けるプーリであって、
前記ドアロープが接触する部分にフェルト材が設けられ、前記フェルト材に油を注入するための注油穴を有する
ことを特徴とするエレベータのドア装置に用いるプーリ。
【発明の詳細な説明】
【技術分野】
【０００１】
本発明の実施形態は、エレベータのドアロープ給油装置およびエレベータのドア装置に用いるプーリに関する。
【背景技術】
【０００２】
建物のエレベータ乗場の壁面には、その壁面の内側の昇降路に通じる開口が出入口として設けられ、この出入口に乗場ドア装置が設置されている。この乗場ドア装置内には、２つのプーリが水平方向に間隔をおいて配置され、このプーリ間に無端状のドアロープが掛けられている。また、乗場ドア装置内には、ハンガーレールにローラを介して吊り下げられたドアパネルが設置され、上述したドアロープに連結されている。そして、プーリが反時計方向に回転してドアロープが周回すると、ローラがハンガーレール上を回転移動してドアパネルが閉方向に動作する。また、プーリが時計方向に回転すると、ドアパネルが開方向に動作する。
【先行技術文献】
【特許文献】
【０００３】
【特許文献１】特開２０１０−１８３９３号公報
【発明の概要】
【発明が解決しようとする課題】
【０００４】
上述した乗場ドア装置では、ドアロープの防錆対策およびプーリの摩耗防止対策のために、定期的にドアロープへの給油が必要である。そのため、エレベータの点検作業時に作業員が手動で給油および余分な油の拭き取り作業を行うが、この作業には多くの時間と労力を要するという問題があった。
【０００５】
本発明は上記事情に鑑みてなされたものであり、エレベータのドアロープへの給油を簡易な操作で行うための、エレベータのドアロープ給油装置およびエレベータのドア装置に用いるプーリの提供を目的とする。
【課題を解決するための手段】
【０００６】
上記目的を達成するための実施形態によればエレベータのドアロープ給油装置は、エレベータ乗場の壁面開口に設置され、エレベータのドアパネルを開閉動作させるために用いるドアロープを掛けるプーリに接続され、スケジュール情報記憶部と給油判定部と給油部とを備える。スケジュール情報記憶部は、ドアロープへの給油処理の実行スケジュール情報を記憶する。給油判定部は、スケジュール情報記憶部に記憶されたスケジュール情報に基づいて、ドアロープへの給油の実行タイミングが到来したか否かを判定する。給油部は、給油判定部でドアロープへの給油のタイミングが到来したと判定されると、ドアロープに給油するために前記プーリに給油処理を実行する。
【図面の簡単な説明】
【０００７】
【図１】第１および第２実施形態によるドアロープ給油装置を用いたエレベータの構成を示す全体図。
【図２】第１実施形態によるドアロープ給油装置に用いるプーリの外観斜視図。
【図３】第１実施形態によるドアロープ給油装置の構成を示すブロック図。
【図４】第２実施形態によるドアロープ給油装置の構成を示すブロック図。
【図５】第１および第２実施形態によるドアロープ給油装置を用いたエレベータの構成を示す全体図。
【図６】第３実施形態によるドアロープ給油装置の構成を示すブロック図。
【発明を実施するための形態】
【０００８】
《第１実施形態》
本発明の第１実施形態によるドアロープ給油装置を用いたエレベータの構成について、図１を参照して説明する。本実施形態によるエレベータ１Ａは、建物のエレベータ乗場の壁面に設けられた、当該壁面の内側の昇降路に通じる開口（出入口）に、乗場ドア装置１０Ａが設置されている。乗場ドア装置１０Ａは、乗場壁面の出入口上部に設置されたヘッダーケース２０と、当該出入口を開閉するドアパネル３０−１、３０−２と、ドアロープ給油装置４０Ａとを備える。
【０００９】
ヘッダーケース２０には、２つのプーリ２１−１、２１−２が水平方向に間隔をおいて配置され、これらのプーリ２１−１、２１−２間に無端状のドアロープ２２が掛けられている。プーリ２１−１、２１−２は、図２に示すように内側にフェルト材２１１−１、２１１−２が挟まれて構成され、このフェルト材２１１−１、２１１−２に油を注入するための注油穴２１２−１、２１２−２が設けられている。このフェルト材２１１−１、２１１−２は、ドアロープ２２が掛けられた際に接触するように外周部分が露出している。
【００１０】
また、ヘッダーケース２０内にはハンガーレール２４およびハンガーレール２４上を回転移動するローラ２５−１〜２５−４が設置され、ローラ２５−１〜２５−４にドアパネル３０−１、３０−２が吊り下げられている。ドアパネル３０−１、３０−２はドアロープ２２に連結されており、プーリ２１−１、２１−２が反時計方向に回転してドアロープ２２が周回すると、ローラ２５−１〜２５−４がハンガーレール２４上を回転移動してドアパネル３０−１、３０−２が閉方向に動作し、プーリ２１−１、２１−２が時計方向に回転すると、ドアパネル３０−１、３０−２が開方向に動作するように構成されている。
【００１１】
ドアロープ給油装置４０Ａは、プーリ２１−１、２１−２の少なくともいずれかに給油する装置であり、図３に示すように、貯油タンク４１と、給油管４２と、スケジュール情報記憶部４３と、給油判定部４４Ａと、給油部４５とを有する。貯油タンク４１は、ドアロープ２２に給油する油を蓄積する。本実施形態では、ドアロープ給油装置４０Ａがプーリ２１−１に給油する場合を例に説明する。給油管４２は、プーリ２１−１の注油穴２１２−１に接続された管である。スケジュール情報記憶部４３は、ドアロープ２２への給油処理の実行スケジュール情報、例えば実行タイミングの周期の情報を記憶する。給油判定部４４Ａは、スケジュール情報記憶部４３に記憶されたスケジュール情報に基づいて、ドアロープ２２への給油の実行タイミングが到来したか否かを判定する。給油部４５は、給油判定部４４Ａでドアロープ２２への給油のタイミングが到来したと判定されると、ドアロープ２２に給油するために、貯油タンク４１に蓄積された油を給油管４２からプーリ２１−１に注油する処理を実行する。
【００１２】
上述したように構成されたドアロープ給油装置４０Ａでは、エレベータ１Ａの稼動中、スケジュール情報で示される給油の実行タイミングが到来したと給油判定部４４Ａで判定されると、給油部４５により、貯油タンク４１に蓄積された油が給油管４２を介してプーリ２１−１の注油穴２１２−１から注油される。注油穴２１２−１から注油された油はフェルト材２１１−１に浸透し、ドアロープ２２に付着する。
【００１３】
そして、エレベータ１Ａの稼動によりドアパネル３０−１、３０−２が開閉すると、フェルト材２１１−１、２１１−２からドアロープ２２に油が塗布され、給油される。
【００１４】
以上の第１実施形態によれば、予め設定されたタイミングで、作業員の手間をかけることなく、自動的にドアロープへの給油処理を実行させることができる。
【００１５】
《第２実施形態》
本発明の第２実施形態によるドアロープ給油装置を用いたエレベータ１Ｂの構成は、ドアロープ給油装置４０Ａに換えてドアロープ給油装置４０Ｂを用いた他は、第１実施形態で説明したエレベータ１Ａの構成と同様であるため、同一機能を有する部分の詳細な説明は省略する。
【００１６】
本実施形態においてドアロープ給油装置４０Ｂは、図４に示すように、スケジュール情報記憶部４３に換えて戸開閉情報取得部４６を有する他は、第１実施形態で説明したドアロープ給油装置４０Ａの構成と同様であるため、同一機能を有する部分の詳細な説明は省略する。
【００１７】
本実施形態において戸開閉情報取得部４６は、エレベータ１Ｂの稼動中にドアパネル３０−１、３０−２が戸開閉したときの情報を取得する。給油判定部４４Ｂは、戸開閉情報取得部４６で戸開閉の情報が取得された回数をカウントし、前回の給油処理後からのカウント数が所定値に達すると、ドアロープ２２への給油の実行タイミングが到来したと判定する。
【００１８】
上述したように構成されたドアロープ給油装置４０Ｂでは、エレベータ１Ｂの稼動中、ドアパネル３０−１、３０−２が戸開閉する都度、当該戸開閉の情報が戸開閉情報取得部４６で取得される。そして、戸開閉情報取得部で戸開閉の情報が取得された回数が給油判定部４４Ｂでカウントされ、前回の給油処理後からのカウント数が所定値に達したことによりドアロープ２２への給油の実行タイミングが到来したと判定されると、給油部４５により第１実施形態と同様に給油処理が実行される。
【００１９】
以上の第２実施形態によれば、該当する乗場ドアの戸開閉回数に応じて、自動的にドアロープへの給油処理を実行させることができる。
【００２０】
《第３実施形態》
本発明の第３実施形態によるドアロープ給油装置を用いたエレベータ１Ｃは、図５に示すように、ヘッダーケース２０内のプーリ２１−１で発生した異音または異常振動を検知する異常検知センサ２６を備え、ドアロープ給油装置４０Ａに換えてドアロープ給油装置４０Ｃを用いる他は、第１実施形態で説明したエレベータ１Ａの構成と同様であるため、同一機能を有する部分の詳細な説明は省略する。
【００２１】
本実施形態においてドアロープ給油装置４０Ｃは、図６に示すように、スケジュール情報記憶部４３に換えてセンサ情報取得部４７を有する他は、第１実施形態で説明したドアロープ給油装置４０Ａの構成と同様であるため、同一機能を有する部分の詳細な説明は省略する。
【００２２】
本実施形態においてセンサ情報取得部４７は、異常検知センサ２６で検知された異音または異常振動の検知情報を取得する。給油判定部４４Ｃは、センサ情報取得部４７で異音または異常振動の検知情報が取得されると、ドアロープ２２への給油を実行すると判定する。
【００２３】
上述したように構成されたドアロープ給油装置４０Ｃでは、エレベータ１Ｃの稼動中、センサ情報取得部４７で異常検知センサ２６から検知情報が取得されると、給油部４５により第１実施形態と同様に給油処理が実行される。
【００２４】
以上の第３実施形態によれば、ドアロープ２２の油不足による異音や振動が発生し始めたタイミングで、速やかに自動的にドアロープへの給油処理を実行させることができる。
【００２５】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２６】
１Ａ，１Ｂ，１Ｃ…エレベータ、１０Ａ，１０Ｂ，１０Ｃ…乗場ドア装置、２０…ヘッダーケース、２１−１，２１−２…プーリ、２２…ドアロープ、２４…ハンガーレール、２５−１〜２５−４…ローラ、２６…異常検知センサ、３０−１，３０−２…ドアパネル、４０Ａ，４０Ｂ，４０Ｃ…ドアロープ給油装置、４１…貯油タンク、４２…給油管、４３…スケジュール情報記憶部、４４Ａ，４４Ｂ，４４Ｃ…給油判定部、４５…給油部、４６…戸開閉情報取得部、４７…センサ情報取得部、２１１−１，２１１−２…フェルト材、２１２−１，２１２−２…注油穴
【要約】
【課題】  エレベータのドアロープへの給油を簡易な操作で行うための、エレベータのドアロープ給油装置およびエレベータのドア装置に用いるプーリを提供する。
【解決手段】  実施形態によればエレベータのドアロープ給油装置は、エレベータ乗場の壁面開口に設置され、エレベータのドアパネルを開閉動作させるために用いるドアロープを掛けるプーリに接続され、スケジュール情報記憶部と給油判定部と給油部とを備える。スケジュール情報記憶部は、ドアロープへの給油処理の実行スケジュール情報を記憶する。給油判定部は、スケジュール情報記憶部に記憶されたスケジュール情報に基づいて、ドアロープへの給油の実行タイミングが到来したか否かを判定する。給油部は、給油判定部でドアロープへの給油のタイミングが到来したと判定されると、ドアロープに給油するために前記プーリに給油処理を実行する。
【選択図】図１【図１】
0006878634.tif 000002
【図２】
0006878634.tif 000003
【図３】
0006878634.tif 000004
【図４】
0006878634.tif 000005
【図５】
0006878634.tif 000006
【図６】
0006878634.tif 000007